(57)【要約】【課題】外壁材の端部と、外壁材が隣接する部材との間にて屋内外を容易に連通させることが可能な外壁材用役物、及び、外壁材の取付構造を提供する。【解決手段】外壁材の端部を収容する収容部を備えた外壁材用役物であって、収容される前記外壁材より屋外側に位置する外面部と、前記外壁材より屋内側に位置する内面部と、前記外面部と前記内面部との一方の端側同士を連結して前記収容部を形成する連結部と、を有し、前記収容部は、当該収容部の最も深い部位を形成する底部と、前記底部より浅い側にて前記外壁材の深い側への進入を規制するための規制部と、前記規制部より深い側にて屋外側と屋内側とを連通する連通部と、を有する。【選択図】図１
2010229665.tif 000002
【特許請求の範囲】
【請求項１】
外壁材の端部を収容する収容部を備えた外壁材用役物であって、
収容される前記外壁材より屋外側に位置する外面部と、
前記外壁材より屋内側に位置する内面部と、
前記外面部と前記内面部との一方の端側同士を連結して前記収容部を形成する連結部と、を有し、
前記収容部は、当該収容部の最も深い部位を形成する底部と、前記底部より浅い側にて前記外壁材の深い側への進入を規制するための規制部と、前記規制部より深い側にて屋外側と屋内側とを連通する連通部と、を有することを特徴とする外壁材用役物。
【請求項２】
請求項１に記載の外壁材用役物であって、
前記規制部は、前記底部とともに前記連結部を形成することを特徴とする外壁材用役物。
【請求項３】
請求項１または請求項２に記載の外壁材用役物であって、
前記収容部は、前記外壁材に沿うように形成されており、
前記連通部は、前記外壁材に沿う方向に互いに間隔を隔てて複数設けられていることを特徴とする外壁材用役物。
【請求項４】
請求項１乃至請求項３のいずれかに記載の外壁材用役物であって、
前記底部は、前記外壁材が取り付けられた際に、隣接する部材に当接されることを特徴とする外壁材用役物。
【請求項５】
請求項１乃至請求項４のいずれかに記載の外壁材用役物であって、
前記収容部には前記底部より浅く、かつ前記規制部より深い位置に、前記外面部と繋がった棚部を有することを特徴とする外壁材用役物。
【請求項６】
請求項５に記載の外壁材用役物であって、
前記底部より屋外側に前記棚部または前記規制部が形成されていることを特徴とする外壁材用役物。
【請求項７】
請求項５または請求項６に記載の外壁材用役物であって、
前記外面部と繋がった平面をなし、隣接する前記棚部または前記規制部より深い側に突出する突出壁部を有することを特徴とする外壁材用役物。
【請求項８】
請求項１乃至請求項７のいずれかに記載の外壁材用役物であって、
前記底部の屋外側の縁から浅い側へ向かって外側壁部が、前記底部の屋内側の縁から浅い側へ向かって内側壁部がそれぞれ形成されおり、
前記連通部は、前記外側壁部、前記内側壁部、及び、前記底部に亘って切り欠かれた孔部であることを特徴とする外壁材用役物。
【請求項９】
請求項１乃至請求項８のいずれかに記載の外壁材用役物であって、
前記外面部と前記規制部とは分離可能に連結されていることを特徴とする外壁材用役物。
【請求項１０】
請求項１乃至請求項９のいずれかに記載の外壁材用役物に、端部が収容された前記外壁材が、下地材または躯体に取り付けられていることを特徴とする外壁材の取付構造。
【発明の詳細な説明】
【技術分野】
【０００１】
本発明は、外壁材の端部を収容する外壁材用役物、及び、外壁材の取付構造に関する。
【背景技術】
【０００２】
外壁材の端部を収容する収容部を備えた外壁材用役物、及び、外壁材の取付構造としては、例えば、施工の際に現場に合わせて切断された外壁材の端部を覆うように取り付けられ、断面がほぼＪ字状をなす端部材、及び、端部材を用いた外壁材の取付構造が知られている（例えば、特許文献１参照）。
【０００３】
また、外壁材は、上下方向に沿って配置され横方向に互いに間隔を隔てて設けられた縦胴縁に取り付けられており、外壁材の屋内側に形成された空隙にて、外壁材の屋内側の通気を確保すべく空気を外壁材の上端部と軒との間から排出し、また、縦胴縁間の水分を外壁材の下端部と水切り材との間から排出している。このため、外壁材の上端部と軒とが、また、外壁材の下端部と水切り材とが、互いに間隔を隔てるように外壁材が取り付けられている。
【先行技術文献】
【特許文献】
【０００４】
【特許文献１】特許第３８２０４９１号明細書
【発明の概要】
【発明が解決しようとする課題】
【０００５】
しかしながら、外壁材の端部と、軒、水切り材、窓枠など隣接する部材との間の空隙は現場にて施工者によって目測にて設けられるので、空隙の幅が均一にならない虞がある。また、外壁材を水切り材の上に載置した状態で外壁材が取り付けられた場合には、適切な空隙が形成されず、外壁の屋内側の水分を排水することができない虞があるという課題がある。
【０００６】
本発明は、かかる課題に鑑みてなされたものであり、その目的とするところは、外壁材の端部と、外壁材が隣接する部材との間にて屋内外を容易に連通させることが可能な外壁材用役物、及び、外壁材の取付構造を提供することにある。
【課題を解決するための手段】
【０００７】
かかる目的を達成するために本発明の外壁材用役物は、外壁材の端部を収容する収容部を備えた外壁材用役物であって、収容される前記外壁材より屋外側に位置する外面部と、前記外壁材より屋内側に位置する内面部と、前記外面部と前記内面部との一方の端側同士を連結して前記収容部を形成する連結部と、を有し、前記収容部は、当該収容部の最も深い部位を形成する底部と、前記底部より浅い側にて前記外壁材の深い側への進入を規制するための規制部と、前記規制部より深い側にて屋外側と屋内側とを連通する連通部と、を有することを特徴とする外壁材用役物である。
【０００８】
このような外壁材用役物によれば、外壁材の端部を収容部に収容した際には、規制部より深い側に連通部が設けられる。このため、外壁材用役物に外壁材の端部を収容させて外壁材を取り付けるだけで、外壁材の端部より深い側にて外壁材の屋内外を連通させることが可能である。また、外壁材の端部を収容部に収容することにより、外壁材の端部を外壁材用役物にて覆い隠すことができるので、外壁材の端部を同一外壁材用役物で統一しつつ外壁材の屋内外を連通させることが可能である。このため、美観に優れた外壁を形成することが可能である。
【０００９】
かかる外壁材用役物であって、前記規制部は、前記底部とともに前記連結部を形成することが望ましい。  
このような外壁材用役物によれば、規制部と底部にて連結部が形成されているので、簡単な形状にて外壁材より深い側に連通部が設けられた外壁材用役物を形成することが可能である。
【００１０】
かかる外壁材用役物であって、前記収容部は、前記外壁材に沿うように形成されており、前記連通部は、前記外壁材に沿う方向に互いに間隔を隔てて複数設けられていることが望ましい。  
連通部が、外壁材に沿う方向に互いに間隔を隔てて複数設けられているので、外壁材に沿う方向に繋がった大きな開口が形成されることはなく、外壁材用役物の強度を確保することが可能であるとともに、外壁材より屋内側に虫などが侵入することを防止することが可能である。
【００１１】
かかる外壁材用役物であって、前記底部は、前記外壁材が取り付けられた際に、隣接する部材に当接されることが望ましい。  
このような外壁材用役物によれば、外壁が取り付けられた際には、外壁材用役物が隣接する部位に当接されるので、外壁の端部と隣接する部材との間にて外壁材の屋内外を連通させることが可能である。
【００１２】
かかる外壁材用役物であって、前記収容部には前記底部より浅く、かつ前記規制部より深い位置に、前記外面部と繋がった棚部を有することが望ましい。  
このような外壁材用役物によれば、外壁材の下端部を収容するように使った際に、外壁材の屋外側表面と外壁材用役物の外面部との間の僅かな隙間から収容部に浸入してくる雨水等を棚部に至らせることにより、規制部にて規制されている外壁材の下端面が雨水等によって濡れるのを防ぐことが可能である。また、棚部に達した雨水等は、底部側に設けられた連通部から外部に排出することが可能である。
【００１３】
かかる外壁材用役物であって、前記底部より屋外側に前記棚部または前記規制部が形成されていることが望ましい。  
このような外壁材用役物によれば、外壁材用役物は、底部が、隣接する部位に当接された際に、外壁材の表面より屋内側に窪んだ空間が形成される。このため、外壁材用役物を隣接する部材に当接させて設けることにより、屋外側から外壁を見た際には、外壁材用役物と隣接する部材との間に統一された空隙が形成されているように見える。一方、連通部は空隙より奥側に形成されているので、屋外側から外壁を見た際には視認し難い。このため、美観に優れた外壁を容易に施工することが可能である。また外壁材用役物と隣接する部材との間に形成された空隙にシーリング材を注入することにより外壁材用役物と隣接する部材との間をシールすることが可能である。
【００１４】
かかる外壁材用役物であって、前記外面部と繋がった平面をなし、隣接する前記棚部または前記規制部より深い側に突出する突出壁部を有することが望ましい。  
このような外壁材用役物によれば、外壁材より屋外側に位置する外面材が、隣接する規制部または棚部より深い側に突出しているので、外壁材の下端を収容するように外壁材用役物を用いた場合には、外壁材の表面を伝った水分は外面部の突出した部位を伝って下に落ちる。このため、外壁材の表面を伝った水分が屋内側に侵入することを防止することが可能である。
【００１５】
かかる外壁材用役物であって、前記底部の屋外側の縁から浅い側へ向かって外側壁部が、前記底部の屋内側の縁から浅い側へ向かって内側壁部がそれぞれ形成されおり、前記連通部は、前記外側壁部、前記内側壁部、及び、前記底部に亘って切り欠かれた孔部であることが望ましい。  
このような外壁材用役物によれば、連通部が外側壁部、内側壁部、及び、底部に亘って切り欠かれた孔部なので、連通部を形成するための加工が容易である。
【００１６】
かかる外壁材用役物であって、前記外面部と前記規制部とは分離可能に連結されていることが望ましい。  
このような外壁材用役物によれば、外面部と規制部とが分離可能に連結されているので、外面部を規制部から分離すると、外面部にて隠される外壁材の端部を露出させることが可能である。このため、外面部を外して釘などにより外壁材を取り付けた後に外面部を取り付けるだけで、釘などを隠すことが可能であり、より美観に優れた外壁を形成することが可能である。
【００１７】
また、上記外壁材用役物に、端部が収容された前記外壁材が、下地材または躯体に取り付けられていることを特徴とする外壁材の取付構造である。  
このような外壁材の取付構造によれば、端部が外壁材用役物に収容された外壁材を下地材または躯体に取り付けるだけで、外壁材の端部と隣接する部材との間にて外壁材の屋内外を連通させることが可能である。また、外壁材の端部が外壁材用役物に覆い隠されるので、外壁材の端部を同一外壁材用役物で統一しつつ外壁材の屋内外を連通させて、美観に優れた外壁を形成することが可能である。
【発明の効果】
【００１８】
本発明によれば、外壁材の端部と、外壁材が隣接する部材との間にて屋内外を容易に連通させることが可能な外壁材用役物及び外壁材の取付構造を提供することが可能である。
【図面の簡単な説明】
【００１９】
【図１】外壁材用役物を用いた外壁材の取付構造を示す縦断面図ある。
【図２】本実施形態に係る外壁材用役物の外観斜視図である。
【図３】外壁材用役物を用いた外壁の窓枠との取り合い部分を説明するための縦断面図である。
【図４】外面部と本体部とが分離可能な外壁材用役物を示す図である。
【図５】ロール成形された外壁材用役物の一例を示す外観斜視図である。
【図６】外壁材用役物の第１変形例を示す断面図である。
【図７】外壁材用役物の第２変形例を示す断面図である。
【発明を実施するための形態】
【００２０】
以下、本発明の一実施形態に係る外壁材用役物について図面を参照して説明する。
【００２１】
本実施形態では、建物の既存の外壁（以下、既存壁という）の外側に外壁材を上張りして新たな外壁を形成する際に用いる外壁材用役物であって、外壁材として、例えば金属サイディング板を用いる例について説明する。金属サイディング板は、例えば表面材となる金属成形板の裏面側に硬質発泡ウレタンを備え、アルミニウム製のフィルムが裏張りされた外壁材である。
【００２２】
このような金属サイディング板３は、図１に示すように、建物の既存壁５の外面側に下地材として設けられた例えば胴縁７に取り付けられた外壁材用役物１０に、端部３ａが収容されて取り付けられている。そして、外壁材用役物１０は、外壁の下端部、軒天部、入隅部、及び、窓枠周縁部等に用いられる。本実施形態の外壁材用役物１０は、外壁の下端部、軒天部、入隅部、及び、窓枠周縁部等のいずれにも同一部材を使用することが可能である。このため、以下の説明では、外壁の下端部に外壁材用役物１０を用いる場合を例に挙げて、外壁材用役物１０の構成と、納まりにおける共通な部分について説明する。
【００２３】
外壁材用役物１０は、図２に示すように、金属サイディング板３の端部３ａを収容する収容部１０ａを有するアルミニウム製の押出成形部材である。以下の説明においては、外壁材用役物１０において、金属サイディング板３の端部３ａに沿う方向を長手方向、金属サイディング板３の端部３ａが収容部１０ａに挿入される方向であって収容部１０ａの深さを示す方向を深さ方向、金属サイディング板３の壁面と直交する方向を厚み方向または屋内外方向として説明する。
【００２４】
収容部１０ａは、収容される金属サイディング板３より屋外側に位置する外面部１１と、金属サイディング板３より屋内側に位置する内面部１２と、外面部１１と内面部１２との端部を連結する連結部１３と、を有している。
【００２５】
外面部１１と内面部１２とは、屋内外方向に互いに間隔を隔てて対面するようにほぼ平行に形成されており、外面部１１と内面部１２との間隔は、収容される金属サイディング板３の厚みより僅かに広く形成されている。
【００２６】
外面部１１と内面部１２との深さ方向における一方の端部側同士が連結部１３により連結されている。外面部１１と内面部１２との他方の端部側は、胴縁７に当接されてビス等により取り付けられる内面部１２が、外面部１１より長く延出されている。
【００２７】
連結部１３は、収容部１０ａの最も深い部位を形成する底部１４と、底部１４より浅い位置に設けられた棚部１５と、棚部１５より浅い位置に設けられ、収容される金属サイディング板３の深い側への進入を規制する規制部１６と、を有している。すなわち、棚部１５は、底部１４より浅く、かつ、規制部１６より深い位置に設けられている。底部１４、棚部１５、規制部１６のうち、底部１４が屋内外方向において中央に設けられている。
【００２８】
底部１４の屋外側の縁からは、底部１４とほぼ直角をなす外側壁部１４ａが形成されており、外側壁部１４ａの最も浅い側の縁から屋外方向に延出されて外面部１１と繋がった部位が棚部１５をなしている。また、底部１４の屋内側の縁からは、底部１４とほぼ直角をなす内側壁部１４ｂが形成されており、内側壁部１４ｂの最も浅い側の縁から屋内方向に延出されて内面部１２と繋がった部位が規制部１６をなしている。
【００２９】
本実施形態の外壁材用役物１０は、最も屋外側に位置する棚部１５が、収容部１０ａの屋内外方向における幅の約１／２の幅を有し、最も屋内側に位置する規制部１６が、収容部１０ａの屋内外方向における幅の約１／４の幅を有し、棚部１５と規制部１６の間に位置する底部１４が、収容部１０ａの屋内外方向における幅の約１／４の幅を有している。
【００３０】
外面部１１は、棚部１５より深さ方向において、底部１４側となる側、すなわち棚部１５より深い側に突出された突出壁部１１ａを有している。また、棚部１５より深い側には、外側壁部１４ａ、底部１４、内側壁部１４ｂのいずれもが切除されて、切り欠かれた孔状をなし、外側壁部１４ａの屋外側と内側壁部１４ｂの屋内側とを連通する連通部１０ｂが、長手方向に間隔を隔てて複数形成されている。連通部１０ｂは、例えば、長手方向において約２０ｍｍピッチで設けられており、各連通部１０ｂの長手方向における幅は約５ｍｍである。
【００３１】
外壁材用役物１０を用いて外壁の下端を施工する場合には、図１に示すように、外壁の下端となる位置に配置して既存壁５に設けられた胴縁７に取り付けられている水切り材９の上面に、外壁材用役物１０の底部１４を当接させて外壁材用役物１０を既存壁５に設けられた胴縁７に取り付ける。  
取り付けられた外壁材用役物１０の収容部１０ａに金属サイディング板３を挿入して下端部を規制部１６に載置する。
【００３２】
外壁材用役物１０の収容部１０ａに収容された金属サイディング板３の下端部３ａは、規制部１６とだけ接触しており、底部１４及び棚部１５との間には空隙が設けられている。また、棚部１５と水切り材９との間は、連通部１０ｂにより金属サイディング板３の屋内側と屋外側とが連通されている。
【００３３】
また、外壁材用役物１０を用いて外壁の上端、例えば軒天部を施工する場合には、外壁材用役物１０の連結部１３が上方を向くように配置し、底部１４を軒天ボード８に当接させて外壁材用役物１０を既存壁５に設けられた胴縁７に取り付ける。
【００３４】
外壁を施工する際には、複数の金属サイディング板３を既存壁５の下部から上方に向かって順次取り付けていくので、最後に取り付けられて最上に位置する金属サイディング板３は、所謂けんどん方式にて取り付けられる。すなわち、上端部３ａを前方位置させて上方に持ち上げつつ収容部１０ａに挿入させた後、金属サイディング板３をほぼ鉛直にして下方に降ろし、直下に取り付けられている金属サイディング板３上に載置する。このため、金属サイディング板３の上端部３ａと規制部１６との間にも空隙が形成されている。すなわち、外壁材用役物１０の収容部１０ａに収容された金属サイディング板３の上端部３ａと、底部１４、棚部１５、及び、規制部１６との間には空隙が設けられている。また、棚部１５と軒天ボード８との間は、連通部１０ｂにより金属サイディング板３の屋内側と屋外側とが連通されている。
【００３５】
外壁材用役物１０を用いて外壁と窓との境界部分を施工する場合には、図３に示すように、外壁材用役物１０の連結部１３が窓枠２０側を向くように配置し、底部１４を窓枠２０の外周部２０ａに当接させて外壁材用役物１０を既存壁５に設けられた胴縁７に取り付ける。窓枠２０には全周に亘って外壁材用役物１０を用いて金属サイディング板３を取り付ける。このとき、上の横枠（上枠）２１と左右の縦枠とは、上述した外壁の下端部と同様に、金属サイディング板３の端部３ａを規制部１６に当接させて取り付け、下の横枠（下枠）２２は、上述した外壁の上端部と同様に、金属サイディング板３の端部３ａと規制部１６との間に空隙を有するように取り付ける。
【００３６】
また、窓枠２０に底部１４を当接させた外壁材用役物１０の外面部１１より屋外側には窓枠２０、棚部１５、外面部１１、及び突出壁部１１ａにより囲まれた空隙が形成される。この空隙は、窓枠２０と突出壁部１１ａの先端との間が屋外と空隙とを連通するように形成されており、屋外側から見た際に窓枠２０の全周に亘って均一な幅のスリット１８が形成される。そして、このスリット１８から空隙内にシーリング材１９を注入することにより窓枠２０と外壁材用役物１０との間を全周に亘ってシールすることが可能である。空隙に注入されて屋外側に露出するシーリング材１９は、スリット１８から均一な幅に見えている。
【００３７】
上記実施形態の外壁材用役物１０によれば、金属サイディング板３の端部３ａを収容部１０ａに収容した際には、規制部１６より浅い側に金属サイディング板３が配置される。このとき、金属サイディング板３より深い側となる、棚部１５より深い部位に連通部１０ｂが設けられているので、底部１４を水切り材９、軒天ボード８、窓枠２０などの隣接する他の部材に当接させて取り付けた外壁材用役物１０に金属サイディング板３の端部３ａを収容させて金属サイディング板３を取り付けるだけで、金属サイディング板３と隣接する水切り材９、軒天ボード８、窓枠２０などの部材との間にて金属サイディング板３の屋内外を連通させることが可能である。このとき、連通部１０ｂは、外側壁部１４ａ、内側壁部１４ｂ、及び、底部１４に亘って切り欠かれた孔部なので、底部１４が隣接する水切り材９、軒天ボード８、窓枠２０などの部材に当接されて塞がれたとしても、外側壁部１４ａ及び内側壁部１４ｂに形成されている部位により金属サイディング板３の屋内外を連通させることが可能である。また、外側壁部１４ａ、内側壁部１４ｂ、及び、底部１４に亘って切り欠かれた連通部１０ｂは、ドリルやフライス板などにて一工程にて加工することができるため加工が容易である。
【００３８】
また、金属サイディング板３の端部３ａを収容部１０ａに収容することにより、金属サイディング板３の端部３ａを外壁材用役物１０にて覆い隠すことができるので、金属サイディング板３の端部３ａを同一の外壁材用役物１０で統一しつつ金属サイディング板３の屋内外を連通させることが可能である。このため、美観に優れた外壁を形成することが可能である。
【００３９】
また、連通部１０ｂが、金属サイディング板３に沿う方向に互いに間隔を隔てて複数設けられているので、外壁材用役物１０には長手方向に繋がった大きな開口が形成されない。このため、外壁材用役物１０の強度を確保することが可能であるとともに、金属サイディング板３より屋内側に虫などが侵入することを防止することが可能である。
【００４０】
また、底部１４、棚部１５、規制部１６は、いずれも外側壁部１４ａ及び内側壁部１４ｂとともに繋がって連結部を形成しているので、簡単な形状にて金属サイディング板３より深い側に連通部１０ｂを設けることが可能である。
【００４１】
また、外壁材用役物１０は、底部１４より浅く、かつ規制部１６より深い位置に、外面部１１と繋がった棚部１５を有する構成としたので、金属サイディング板３の下端部３ａを収容するように使った際に、金属サイディング板３の屋外側表面と外壁材用役物１０の外面部１１との間の僅かな隙間から収容部１０ａに浸入してくる雨水等を棚部１５に至らせることにより、規制部１６にて規制されている金属サイディング板３の下端面が雨水等によって濡れるのを防ぐことが可能である。また、棚部１５に達した雨水等を、底部１４側に設けられた連通部１０ｂから外部に排出することが可能である。そして、底部１４が、隣接する水切り材９、軒天ボード８、窓枠２０などの部材に当接された際に、金属サイディング板３の表面より屋内側に窪んだ空隙が形成される。このため、外壁材用役物１０を隣接する水切り材９、軒天ボード８、窓枠２０などの部材に当接させて設けることにより、屋外側から外壁を見た際に、外壁材用役物１０と隣接する水切り材９、軒天ボード８、窓枠２０などの部材との間に均一な空隙が形成されているように見せることが可能である。一方、連通部１０ｂは空隙より奥側に形成されているので、屋外側から外壁を見た際には視認し難い。このため、全体に統一されて美観に優れた外壁を容易に施工することが可能である。
【００４２】
また外壁材用役物１０と隣接する窓枠２０との間に形成された空隙にシーリング材１９を注入することにより外壁材用役物１０と隣接する窓枠２０との間をシールすることが可能である。
【００４３】
また、外壁材用役物１０は、金属サイディング板３より屋外側に位置する外面部１１と繋がった平面をなし、外面部１１と隣接する棚部１５より深い側に突出する突出壁部１１ａを有しているので、金属サイディング板３の下端部３ａを収容するように外壁材用役物１０を用いた場合には、金属サイディング板３の表面を伝った水分は外面部１１の突出した突出壁部１１ａを伝って下に落ちる。このため、金属サイディング板３の表面を伝った水分が屋内側に侵入することを防止することが可能である。
【００４４】
上記実施形態においては、外壁材用役物１０を一体にて形成した例について説明したが、これに限らず、例えば図４に示すように、外面部１１が、連結部１３及び内面部１２とからなる本体部１７から分離可能に連結されている構成としてもよい。すなわち、外面部１１の屋内側の面に、屋内側に突出させて弾性変形して本体部１７と係合する係合片１１ｂを備え、本体部１７の棚部１５を形成する部位に弾性変形して係合片１１ｂと係合する係合フック１３ａを備えた構成としてもよい。
【００４５】
このように外面部１１と本体部１７とが分離可能な構成とすると、外面部１１を本体部１７から分離したときに、外面部１１にて隠された金属サイディング板３の端部３ａを露出させることが可能である。このため、外面部１１を外して露出された部位にビスなどにより金属サイディング板３を取り付けた後に外面部１１を取り付けるだけで、ビスなどを隠すことが可能であり、より美観に優れた外壁を形成することが可能である。
【００４６】
また、上記実施形態では、外壁材用役物１０を、アルミニウム製の押出成形部材としたが、図５に示すように、アルミニウム製またはステンレス製の板金をロール成型して形成しても良い。図５の例は、底部１４が最も屋内側に、棚部１５が最も屋外側に、規制部１６が、底部１４と棚部１５との間に設けられている例を示しているが、底部１４、棚部１５、規制部１６の配置はこれらに限らない。
【００４７】
図５に示す外壁材用役物１０の場合には、底部１４と繋がった内側壁部１４ｂ、底部１４、及び、外側壁部１４ａのみならず、棚部１５にも至るように連通部１０ｂが形成されている。このため、外壁材用役物１０の連結部１３が下方に位置するように外壁材用役物１０を配置した際に、棚部１５と底部１４との間に棚部１５より高い規制部１６が位置しても、棚部１５に進入した水分を収容部１０ａの外に排出することが可能である。このとき、連通部１０ｂは、内面部１２と繋がって設けられている必要はなく、棚部１５には連通部１０ｂとは別に孔部を設けても良い。
【００４８】
尚、ロール成形した外壁材用役物１０であっても、外面部と底部及び内面部とでなる本体部とを分離可能な構成としても良い。すなわち、外面部と本体部との一方に係合部を備え、他方に被係合部を備えて外面部を本体部に対し着脱自在な構成とすることにより、外面部を外して露出された部位にビスなどにより金属サイディング板を取り付けた後に外面部を取り付けるだけで、より美観に優れた外壁を形成することが可能である。
【００４９】
上記実施形態においては、外壁材用役物１０が、底部１４と、棚部１５と、規制部１６とを備えた例について説明したが、図６に示すように、必ずしも棚部を備えなくとも構わない。すなわち、収容部１０ａの最も深い部位を形成する底部１４と、底部１４より浅い位置に形成されて金属サイディング板３の端部３ａを規制する規制部１６とにて連結部１３を構成しても良い。さらに、上記実施形態においては、規制部１６を底部１４とともに連結部１３を構成する例について説明したが、これに限らず、例えば図７に示すように、内側壁部１４ｂから収容部１０ａ内に突出させた突起にて規制部１６ａを構成しても良い。
【００５０】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５１】
３  金属サイディング板、３ａ  端部（上端部、下端部）、
１０  外壁材用役物、１０ａ  収容部、１０ｂ  連通部、
１１  外面部、１１ａ  突出壁部、１２  内面部、
１３  連結部、１４  底部、１４ａ  外側壁部、１４ｂ  内側壁部、
１５  棚部、１６  規制部、１６ａ  規制部、１７  本体部
【図１】
2010229665.tif 000003
【図２】
2010229665.tif 000004
【図３】
2010229665.tif 000005
【図４】
2010229665.tif 000006
【図５】
2010229665.tif 000007
【図６】
2010229665.tif 000008
【図７】
2010229665.tif 000009